(57)【特許請求の範囲】
【請求項１】
両端の係合部（２１，２２）に六角穴状係合開口（２３，２６）を形成した中空状ボックス本体（２０）と、操作ハンドル用棒体（３０）と、を備え、前記操作ハンドル用棒体（３０）は、その一端部（３１）が前記中空状ボックス本体（２０）の内空状内部まで挿入されて溶接固定されているボックスレンチ（１０）であって、
前記中空状ボックス本体（２０）の両端の係合部（２１，２２）に形成された二つの前記六角穴状係合開口（２３，２６）は、互いにその係合幅（ｂ１，ｂ２）を異にし、係合幅（ｂ１）の小さい前記六角穴状係合開口（２３）側の端面（２１ａ）と前記操作ハンドル用棒体（３０）との間の距離（Ｌ１）が、前記操作ハンドル用棒体（３０）と係合幅（ｂ２）の大きい前記六角穴状係合開口（２６）側の端面（２２ａ）との間の距離（Ｌ２）よりも長く形成し、前記係合幅（ｂ１）の小さい六角穴状係合開口（２３）が、携帯型作業機用内燃エンジン（４０）の点火プラグ（５０）の着脱用であり、前記係合幅（ｂ２）の大きい前記六角穴状係合開口（２６）が、前記携帯作業機の締付金具用であることを特徴とするボックスレンチ。
【請求項２】
前記係合幅（ｂ２）の大きい前記六角穴状係合開口（２６）側の端面（２２ａ）と前記操作ハンドル用棒体（３０）との間の距離（Ｌ２）は、前記点火プラグ（５０）の先端部（５２）とその締付ナット部（５１）との間の距離（Ｌ４）よりも短く形成されていることを特徴とする請求項１に記載のボックスレンチ。
【発明の詳細な説明】
【０００１】
【発明の属する技術分野】
本発明は、携帯型作業機等のボックスレンチに係り、特に、搭載した小型内燃エンジンの点火プラグと他の締付金具との係脱に兼用して好適なボックスレンチに関する。
【０００２】
【従来技術】
例えば、刈払機や枝打機等の回転刃を備えた携帯型作業機は、伝動軸を内挿した操作桿を備え、その一端側に小型空冷２サイクル内燃エンジンを保持すると共に、他端側に歯車ケースを保持している。前記２サイクル内燃エンジンの動力は、前記伝動軸を介して前記歯車ケース内の一対の傘歯車に伝達され、更に、前記伝動軸と所定角度で交差する回転軸に伝達される。前記回転軸の下部には、刈刃等の回転刃が、該回転軸と一体に回転する受金具と、前記回転軸の下端部に螺合する締付ナットとの間に挟まれて、該締付ナットにより締め付け固定されている。
【０００３】
このような携帯型作業機は、回転刃の刃部の摩耗等により、その刃部を取り替えたり、或いは刃部の研ぎ等を行なわねばならないことから、前記回転刃を前記作業機から離脱する必要がある。また、前記携帯作業機に搭載されている２サイクル内燃エンジンの点火プラグも、点火不良で取り替える等の種々理由から、前記２サイクル内燃エンジンから、取り外すことを必要としている。
前記の如く、前記携帯型作業は、前記回転刃や点火プラグ等の備品を、当該作業機から離脱あるいは該作業機へ装着を行うために、通常、該作業機専用のスパナ、ボックスレンチ、回り止め棒等の付属工具を装備している。
【０００４】
そして、前記携帯作業機に装備されている工具の一つであるボックスレンチは、前記点火プラグと前記回転刃の締付ナットとの両方を一つのボックスレンチで回動操作できるように、該ボックスレンチの筒状ボックス本体の両側端に、六角穴状係合部を各々備えている。
前記六角穴状係合部の一つは、点火プラグの締付ナット部と係合し該点火プラグを回動して、前記２サイクル内燃エンジンから離脱もしくは該内燃エンジンに装着するものであり、他の一つの六角穴状係合部は、前記回転刃の締付ナット等の他の締付金具の、作業機からの取り外しや装着を行うために装備されている。
【０００５】
また、前記点火プラグの締付ナット部と、前記回転刃の締付ナットとは、通常そのナットの係合幅を幾分異にしている。即ち、例えば、前記点火プラグの締付ナット部の係合幅が１６mmであるのに対して、前記回転刃の締付ナットの係合幅は１７mmとなっている。このため、前記ボックスレンチの二つの六角穴状係合部も、各々が前記二つの締付ナットの係合幅に適合するように、その係合幅を幾分異にしている。
【０００６】
【発明が解決しようとする課題】
ところで、圃場や倉庫等の作業現場で、前記携帯作業機の前記内燃エンジンから点火プラグの取り外しをしようとする場合において、前記ボックスレンチの六角穴状係合部を前記点火プラグの締付ナットに係合する時、不注意あるいは錯誤等によって、前記ボックスレンチの回転刃締付ナット用の係合幅１７ｍｍの六角穴状係合部を、係合幅１６ｍｍの前記点火プラグの締付ナット部に係合して、前記点火プラグを回転せしめようとしてしまうことがある。このような場合、前記ボックスレンチの回転刃締付ナット用の六角穴状係合部の係合幅（１７ｍｍ）は、前記点火プラグの締付ナット部の係合幅（１６ｍｍ）より幾分大きいのみであるので、当初は、該締付ナット部を回転させて、その締め付けを緩めることができる場合がある。
【０００７】
しかし、前記回転刃締付ナット用の六角穴状係合部は、前記したように、前記点火プラグの締付ナット部に対して幾分大きい形状であるので、両者間に緩みとガタが生じており、その状態で無理にボックスレンチを回転させると、前記点火プラグの締付ナット部、あるいは前記回転刃締付ナット用の六角穴状係合部が互いに摩耗して、その形状が変形してしまうことがあって、以後その点火プラグやボックスレンチを使用をできない状態としてしまう虞があると共に、前記の状態で無理にボックスレンチを回転させると、前記回転刃締付ナット用の六角穴状係合部と前記点火プラグの締付ナット部とが膠着状態となってしまい、前記点火プラグの締付ナット部から、前記ボックスレンチの六角穴状係合部を抜き出すことができない状態になる場合があり、問題となっていた。
【０００８】
本発明は、前記の如き問題に鑑みてなされたものであって、その目的とするところは、不注意あるいは錯誤等によっては、ボックスレンチの二つの六角穴状係合部の選択を誤ることがなく、破損事故等をおこすこともない、二つの六角穴状係合部を有するボックスレンチを提供することにある。
【０００９】
【課題を解決するための手段】
前記目的を達成すべく、本発明のボックスレンチは、基本的には、両端の係合部に六角穴状係合開口を形成した中空状ボックス本体と、操作ハンドル用棒体と、を備え、前記操作ハンドル用棒体は、その一端部が前記中空状ボックス本体の内空状内部まで挿入されて溶接固定され、前記中空状ボックス本体の前記両端の係合部に形成された二つの前記六角穴状係合開口が、互いにその係合幅を異にし、係合幅の小さい前記六角穴状係合開口側の端面と前記操作ハンドル用棒体との間の距離が、前記操作ハンドル用棒体と係合幅の大きい前記六角穴状係合開口側の端面との間の距離よりも長く形成したことを特徴としている。
【００１０】
また、本発明のボックスレンチの携帯型作業機の工具としての好適な具体的態様は、前記係合幅の小さい六角穴状係合開口が、前記携帯型作業機用内燃エンジンの点火プラグの着脱用であり、前記係合幅の大きい六角穴状係合部が、前記携帯作業機の締付金具用であって、前記係合幅の大きい前記六角穴状係合開口側の端面と前記操作ハンドル用棒体との間の距離が、前記点火プラグの先端部とその締付ナット部との間の距離よりも短く形成されていることを特徴としている。
【００１１】
前記の如く構成された本発明のボックスレンチは、該ボックスレンチを、携帯型作業機の内燃エンジンの点火プラグ用と締付金具用として用いた場合には、回転刃等の作業体の締付金具用の六角穴状係合開口側の長さを短く形成したので、誤って回転刃等の作業体の締付ナット用の前記六角穴状係合開口側で点火プラグの締付ナット部を回動しようとしても、該六角穴状係合開口が点火プラグの締付ナット部に嵌合せず、前記回転刃等の作業体の締付ナット用の六角穴状係合開口で、点火プラグの締付ナット部を回動操作してしまうのを未然に防ぐことができ、従来のように、ボックスレンチの誤った使用によって、点火プラグの締付ナット部やボックスレンチの六角形穴状係合開口を破損させることがない。
【００１２】
【発明の実施の形態】
以下、図面に基づき、本発明のボックスレンチの一実施形態について詳細に説明する。
図１と図２は、本実施形態のボックスレンチを示し、図１は、その外観を示す斜視図であり、図２は、その概要を示す概略図で、（ａ）は左部分側面図、（ｂ）は一部切除の平面図、（ｃ）は右部分側面図である。
【００１３】
図示のボックスレンチ１０は、パイプ材よりなる中空状ボックス本体２０と、操作ハンドル用棒体３０と、から成っており、前記中空状ボックス本体２０の両端側には、点火プラグ用係合部２１と、回転刃用係合部２２と、を備え、前記両係合部２１，２２は、共に正六角形の穴状係合開口２３、２６を備えている。前記点火プラグ用の六角穴状係合開口２３は、前記回転刃用六角穴状係合開口２６の係合幅ｂ2よりも、その係合幅ｂ1を小さくしている。例えば、ｂ2＝１７ｍｍに対してｂ1＝１６ｍｍに形成され、回転刃の締付ナット（図示省略）が、前記回転刃用六角穴状係合開口２６に、前記点火プラグの締付ナット部５１（図３参照）に、各々緩みのない状態で係脱できるように形成されている。
【００１４】
前記操作ハンドル用棒体３０は、その一端部３１が挿入部とされ、前記中空状ボックス本体２０の中間腹部からその中空状内部に挿入され、挿入した側とは反対側の腹部内面に接触させた状態で、溶接Ｅ等で接合固定され、前記操作ハンドル用棒体３０の他端部３２は、扁平に尖った形状とし、ドライバーとしての機能を奏するように形成されている。
また、前記操作ハンドル用棒体３０は、前記中空状ボックス本体２０の左右の両端からの距離の異なる位置、即ち、前記点火プラグ用係合部２１側の端面２１ａから距離Ｌ1で、前記回転刃用係合部２２側の端面２２ａから距離Ｌ2の位置（Ｌ1＞Ｌ2）に接合固定されている。
【００１５】
図３は、前記ボックスレンチ１０を用いて、小型空冷２サイクル内燃エンジン４０から、点火プラグ５０の取り外しをしようとしている状態を示したものであるが、前記ボックスレンチ１０の前記点火プラグ用係合部２１側の端面２１ａからの距離Ｌ1と、前記回転刃用係合部２２側の端面２２ａからの距離Ｌ2と、は、前記点火プラグ５０の締付ナット部５１の下部と先端部５２との間の距離Ｌ3と、前記点火プラグ５０の前記締付ナット部５１の上部と前記先端部５２との間の距離Ｌ4と、に対して、Ｌ1＞Ｌ3、Ｌ2＜Ｌ4の関係になっている。
前記の如く構成された前記ボックスレンチ１０の携帯型作業機（図示省略）への使用状態について説明する。
【００１６】
図３に示されているように、携帯型作業機の２サイクル内燃エンジン４０から前記点火プラグ５０を取り外す場合は、前記ボックスレンチ１０の前記点火プラグ用係合部２１側を下側として、該プラグ用係合部２１を前記点火プラグ５０に上方から被せて作業を行うが、前記したように、前記点火プラグ用係合部２１側の距離Ｌ1は、前記点火プラグ５０側の距離Ｌ3より長いので、前記ボックスレンチ１０の前記六角形穴状係合開口２３が、前記点火プラグ５０の締付ナット５１に完全に係合し、前記ボックスレンチ１０を、前記操作ハンドル用棒体３０を操作して回転させることにより、前記点火プラグ５０を、前記２サイクル内燃エンジン４０から緩めて、取り外すことができる。
【００１７】
また、図示は省略したが、携帯型作業機の回転刃を該作業機から離脱する場合には、前記ボックスレンチ１０の前記回転刃用係合部２２側を用いて、前記回転刃用の締付ナットに前記回転刃用係合部２２の六角形穴状係合開口２６を係合し回転することにより前記回転刃用締付ナットを緩めて前記回転刃を、前記携帯型作業機から取り外すことができる。
【００１８】
ところで、前記携帯型作業機の２サイクル内燃エンジン４０から前記点火プラグ５０を取り外す場合に、作業者の不注意あるいは錯誤等の不作為によって、図４に示すように、前記ボックスレンチ１０の前記回転刃用係合部２２側を下にして、該回転刃用係合部２２を前記点火プラグ５０に被せても、前記ボックスレンチ１０の前記回転刃用係合部２２側の端面２２ａからの距離Ｌ2が、前記点火プラグ５０の前記締付ナット部５１の上部と先端部５２との間の距離Ｌ4よりも短く形成されているので、前記回転刃用係合部２２の六角形穴状係合開口２６が前記点火プラグ５０の前記締付ナット部５１に係合する状態となる前に、前記操作ハンドル用棒体３０の前記挿入一端部３１に前記点火プラグ５０の前記先端部５２が接触してしまい、前記六角形穴状係合開口２６と前記締付ナット部５１とが係合するのを阻止することとなる。
【００１９】
前記のことは、作業者が前記ボックスレンチ１０の誤った使用を行おうとしても、それを確実に防止することができると共に、従来のように、ボックスレンチの誤った使用によって、点火プラグやボックスレンチの六角形穴状係合開口が破損するのを防止することができる。
また、前記操作ハンドル用棒体３０の一端を、前記中空状ボックス本体２０の腹部中央から内部に挿入して固定するようにしたので、前記操作ハンドル用棒体３０の、前記中空状ボックス本体２０への取付部を強度の強いものとすることができる。
【００２０】
以上、本発明の一実施形態について詳述したが、本発明は、前記実施形態に限定されるものではなく、特許請求の範囲に記載された発明の精神を逸脱しない範囲で、設計において、種々の変更ができるものである。
例えば、前記実施形態においては、携帯型作業機の工具としてボックスレンチを記載したが、該ボックスレンチは、前記携帯型作業機のみならず、他の種々のの工具として利用できるものである。
【００２１】
【発明の効果】
以上の説明から理解されるように、本発明のボックスレンチは、該ボックスレンチを、携帯型作業機の内燃エンジンの点火プラグ用と、ボルトやナットの締付金具用として用いた場合には、誤って回転刃等の作業体の締付ナット用の六角穴状係合開口で、点火プラグの締付ナット部を回動操作する等の誤用が未然に防げるので、従来のようにボックスレンチの誤った使用によって、点火プラグやボックスレンチの六角形穴状係合開口が破損されることがない。
【図面の簡単な説明】
【図１】本発明に係るボックスレンチの一実施形態を示す斜視図。
【図２】図１のボックスレンチの概略図で、（ａ）は左部分側面図、（ｂ）は一部切除の平面図、（ｃ）は右部分側面図。
【図３】図１のボックスレンチの使用状態（正規使用状態）を示す図。
【図４】図１のボックスレンチの他の使用状態（誤用状態）を示す図。
【符号の説明】
１０  ボックスレンチ
２０  中空状ボックス本体
２１  係合部（点火プラグ用）
２１ａ  端面
２２  係合部（回転刃用）
２２ａ  端面
２３  六角穴状係合開口
２６  六角穴状係合開口
３０  操作ハンドル用棒体
３１  一端部（棒体の）
４０  ２サイクル内燃エンジン
５０  点火プラグ
５１  締付ナット
５２  先端部
Ｌ1 距離
Ｌ2 距離
Ｌ4 距離
ｂ1 係合幅
ｂ2 係合幅
【図１】
0003643482.tif 000002
【図２】
0003643482.tif 000003
【図３】
0003643482.tif 000004
【図４】
0003643482.tif 000005